(57)【要約】      （修正有）【課題】訪問理容、訪問美容等の出張技術提供の洗髪用シャンプー台或いは高齢者や入院患者や各種福祉施設利用者や在宅での介護者等に対する洗髪用シャンプー台であり、前かがみや仰向け段階状態で洗髪を受ける者とシャンプー台との距離の微調整を行える折り畳み式の移動型シャンプー台を提供する。【解決手段】４つの脚部１０、１１、１２、１３のそれぞれの脚部下部にキャスター１５を有する折り畳み式の移動型シャンプー台で、４つの脚部により土台１の上部にスライド両側板３０、３０を有し、スライド両側板３０、３０の間にこのスライド両側板３０間をスライドする移動板４０を有し、この移動板４０上には、シャンプーボウル２を有する折り畳み式の移動型シャンプー台である。【選択図】図１
0003210034.tif 000002
【実用新案登録請求の範囲】
【請求項１】
４つの脚部１０、１１、１２、１３を有し、それぞれの脚部下部にキャスター１５を有する折り畳み式の移動型シャンプー台であって、
４つの脚部１０、１１、１２、１３により土台１を構成し、
この土台１上部にはスライド両側板３０、３０を有するものであり、
スライド両側板３０、３０の間には、このスライド両側板３０間をスライドする移動板４０を有しており、
この移動板４０上には、シャンプーボウル２を有することを特徴とする折り畳み式の移動型シャンプー台。
【請求項２】
スライド両側板３０、３０間をスライドする移動板４０のスライド方向に取っ手部４１を有することを特徴とする請求項１記載の折り畳み式の移動型シャンプー台。
【請求項３】
スライド両側板３０、３０の一端で少なくとも脚部１０、１１、１２、１３の内の２脚の脚部１０、１１と連結していると共に該連結が２脚の脚部１０、１１間に形成した軸部９０にスライド両側板３０、３０の一端で軸支して連結しているものであり、
この軸部９０を介してスライド両側板３０、３０が回動自在に軸支していることを特徴とする請求項１又は２のいずれかに記載の折り畳み式の移動型シャンプー台。
【請求項４】
土台１の底部の棒状部５１の中央部分にヒンジ部５２を有し、このヒンジ部５２を介して底部の棒状部５１を折り畳み自在に構成したことを特徴とする請求項１乃至３のいずれかに記載の折り畳み式の移動型シャンプー台。
【考案の詳細な説明】
【技術分野】
【０００１】
本考案は、シャンプー台であって、訪問理容、訪問美容等の出張技術提供の際に用いる洗髪を行うためのシャンプー台或いは、高齢者や入院患者や各種福祉施設利用者や在宅での介護者等に対して洗髪を行うためのシャンプー台であり、折り畳み式であってかつ移動可能なシャンプー台に関する。
【背景技術】
【０００２】
本来、洗髪を行うことは美容院や理髪店に備え付けられたシャンプー台により行われることが多い。
しかし、高齢者や入院患者等、各種福祉施設利用者等において、洗髪を行う際に美容院や理髪店に赴くのではなく、洗面台や寝台等において洗髪を行うことは多々生じている。
特に高齢者の介護における洗髪や病院等における洗髪に際しては、洗面台まで赴くか洗面器などを用いて洗髪せざるを得ないか、寝台において寝た状態での洗髪となっている。
この場合、介護者が洗髪の場所まで介護者を連れて行くことが困難な場合等に対して移動可能なシャンプー台が用いられている。
又、訪問理容、訪問美容等の出張技術提供に際しては、通常は一般的な洗面台で洗髪する。
【０００３】
ところで、実開昭６２−１８４８０２号に示す移動洗髪装置（特許文献１）や実開昭５１−６７１９７号（特許文献２）に示す移動式洗髪機等が公開されている。
更に、特開２００１−９５６１９号（特許文献３）に示す洗髪車や特開２００６−２６３１１０号（特許文献４）に示す可搬式洗髪機等が開示されている。
或いは、特開２００９−１１２５６５号（特許文献５）や特開２００９−２３３０１０号（特許文献６）に示すシャンプー台も存在する。 
【先行技術文献】
【特許文献】
【０００４】
【特許文献１】実開昭６２−１８４８０２号
【特許文献２】実開昭５１−６７１９７号
【特許文献３】特開２００１−９５６１９号
【特許文献４】特開２００６−２６３１１０号
【特許文献５】特開２００９−１１２５６５号
【特許文献６】特開２００９−２３３０１０号
【考案の概要】
【考案が解決しようとする課題】
【０００５】
しかし、これらは全て洗髪する場所に移動できるものであり、予め洗髪を受ける者がいる場所に設置した上で、その場所で位置を固定して洗髪を行うものである。
従って、洗髪段階での洗髪を受ける者との間の微妙な位置の再修正等は行えない。
この場合、シャンプー台の位置を合わせて洗髪を受ける者が、頭の位置をずらせて正しい位置にもっていくことが必要となる。
【０００６】
高齢者や自らの移動が困難な介護者等の介護状態での洗髪に際しては、この微妙な頭の位置の設定が困難な場合が生じ、洗髪を受ける者の位置を介護者が持ち上げてずらす等の過度の介護が必要となる。
特に、高齢者や自らの移動が困難な者の洗髪に際しては、仰向け状態又はうつ伏せ状態での洗髪は、呼吸の確保や自重による咽周辺への圧迫等を生じさせてしまうため、これを避けるべく前かがみ状態での洗髪が必要である。
【０００７】
従って、前かがみ状態の頭の位置とシャンプー台のシャンプーボウルの位置とが一致していることが必要である。
この場合、シャンプー台の位置を固定してから洗髪を受ける者が前かがみとなるものであり、椅子との位置関係を仰向け段階で調整することは極めて難しい。
即ち、このような微調整に際して、シャンプー台の上下動やシャンプー台の回転による位置合わせはできるが、椅子とシャンプー台との距離の微調整は行えなかった。
【０００８】
係るために、このような微調整を可能とするシャンプー台の提供が望まれていた。
更に、従来のシャンプー台は、シャンプー用の洗髪水タンクと汚水用のタンクとシャンプーボウルとを有しており、極めて嵩張るものであり、移動時や保管時に多大な場所や手間を必要としていた。
従って、移動時や保管時にコンパクトに収納できる対策が望まれていた。
【課題を解決するための手段】
【０００９】
以上のように、係る課題を解決するため、請求項１記載の考案は、４つの脚部を有し、それぞれの脚部下部にキャスターを有する折り畳み式の移動型シャンプー台であって、４つの脚部により土台を構成し、この土台上部にはスライド両側板を有するものであり、スライド両側板の間には、このスライド両側板間をスライドする移動板を有しており、この移動板上には、シャンプーボウルを有する。
【００１０】
又、請求項２に係る考案のように、スライド両側板間をスライドする移動板のスライド方向に取っ手部を有する折り畳み式の移動型シャンプー台を用いてもよい。
或いは、請求項３に係る考案のように、スライド両側板の一端で少なくとも脚部の内の２脚の脚部と連結していると共に該連結が２脚の脚部間に形成した軸部にスライド両側板の一端で軸支して連結しているものであり、この軸部を介してスライド両側板が回動自在に軸支している畳み式の移動型シャンプー台でもよい。
【００１１】
更に、請求項４に係る考案のように、土台の底部の棒状部の中央部分にヒンジ部を有し、このヒンジを介して底部の棒状部を折り畳み自在に構成する折り畳み式の移動型シャンプー台でもよい。
【考案の効果】
【００１２】
以上のように構成したことから、まず請求項１に係る考案によって、移動板上のシャンプーボウルがスライド両側板間をスライドするものとなり、移動型シャンプー台を設置した後に移動板をスライドすることによってシャンプーボウルの位置を移動できることからシャンプーボウルの位置の微調整を可能とすることができる。
更に、請求項２に係る考案によって、移動板を取っ手をもってスライドすることができ、移動板のスライドを容易に行えるものであり、シャンプーボウルの移動が簡単にできる。
【００１３】
又、請求項３に係る考案によって、２脚の脚部間の軸部にスライド両側板を回転することができることから、このスライド両側板間の移動板も同様に回転できるものとなると共に移動板上のシャンプーボウルも同様に軸部周りに回転することができる。
従って、嵩の大きいシャンプーボウルを２脚の脚部間に回転することができるものとなって脚部間方向に収納できることとなる。
これによりコンパクトに収納できる。
【００１４】
更に、請求項４によって、土台の底部の中央部分にヒンジ部を有するものであり、このヒンジ部により土台の底部の中央部分で折り曲げることができるものとなり、土台部をコンパクトに収納できる。
【図面の簡単な説明】
【００１５】
【図１】本考案に係る折り畳み式の移動型シャンプー台の一例を示す図
【図２】図１の折り畳み式の移動型シャンプー台を横から視認した状態の一例を示す図
【図３】図２に示す折り畳み式の移動型シャンプー台の移動板の取っ手部を用いて移動板を引き出した状態の一例を示す図
【図４】本考案に係る折り畳み式の移動型シャンプー台の移動板のスライド機構を示す図
【図５】本考案に係る折り畳み式の移動型シャンプー台の収納状態の一例を示す図
【図６】本考案に係る折り畳み式の移動型シャンプー台を図５に示す構成よりも更にコンパクトに収納できる構成の一例を示した図
【考案を実施するための形態】
【００１６】
図１は、本考案に係る折り畳み式の移動型シャンプー台の一例を示す図である。
本図に示すように、土台１の上部にシャンプーボウル２を有しており、シャンプーボウル２にはシンク２０部分とシャワーヘッド２１部分とを有する。
土台１の４つの脚部１０、１１、１２、１３の下部にキャスター１５を有しており、このキャスター１５によって土台１を移動することができる。
特に図示はしていないが、このキャスター１５にはストッパーを有しており、任意位置でキャスター１５の回転を止め定位置で停止することができる。
【００１７】
この土台１の上部には移動板４０を有しており、この移動板４０上にシャンプーボウル２を有している。
更に、このシャンプーボウル２には蛇腹ホース２００がその排水口より連設しており、この蛇腹ホース２００は更に汚水用タンクをつながる。
本図では汚水用タンクは明示していないが、土台１の下部の格子５０部分の上部に載置するものである。
尚、排水機構を別途用いてこの蛇腹ホース２００から下水道管等の排水口に汚水を流すものであってもよい。
【００１８】
更に、本図には明示していないが、シャワーヘッド２１のホース部分には洗髪水タンクを有しており、ポンプを介してシャワーヘッド２１より必要に応じて温水を出すことができる。
例えば洗髪水タンクに温水を入れておくか、洗髪水タンク内の水を必要に応じて加熱して適切な温度にすることにより、温水をシャワーヘッド２１より出すことができる。
尚、例えば給水装置を別途用意してそこから温水を出すことにより洗髪用のシャワーとして用いてもよい。
【００１９】
更に、洗髪水タンクを用いる場合には、土台１の下部の格子５０部分の上部に載置するものであってもよい。
例えば洗髪水タンクと汚水タンクを用いた場合には、特段給水機能や排水機能を有さない場所においても、自由にこの折り畳み式の移動型シャンプー台を用いて洗髪を行うことができる。
従って、在宅介護等においても洗髪が可能となる。
【００２０】
この土台１の上部には移動板４０を有しており、この移動板４０上にシャンプーボウル２を有しているが、この移動板４０はその両側にスライド両側板３０、３０を有しており、この土台１のスライド両側板３０、３０の間で移動板４０が前後方向に移動する。
即ち洗髪を行う頭を置くべき方向に向かって前後に移動する移動板４０を有しており、この移動板４０上にシャンプーボウル２を有することから洗髪を受ける者の方向に向かって前後にシャンプーボウル２を移動することができる。
【００２１】
尚、土台１には格子５０部分を有する底部を有しているが、この底部はその脚部１０、１１と脚部１２、１３との間を支える連結部である横方向の棒状部５１の中央部分にヒンジ部５２を有しており、このヒンジ部５２により折り曲げることができる。
更に、このヒンジ部５２にはロック機構を有しており、ヒンジ部５２を伸ばした状態でロックすることができる。
又、このロック機構を外すことによりヒンジ部５２を折り曲げることもできる。
【００２２】
この底部は略四角形状を有しているがこの四隅にはキャスター１５を有している。
この四隅のキャスター１５は４脚の脚部１０、１１、１２、１３にそれぞれ連結しており、土台１上部でスライド両側板３０につながっている。
更にこの脚部の内の２脚の脚部１２、１３に関してはその上部で軸部１２０、１３０により軸支しており、それぞれ他の２脚の脚部１０、１１方向に回動可能に構成されている。
【００２３】
この土台１上部にはスライド両側板３０、３０を有しており、そのスライド両側板３０、３０の一端で他の２脚の脚部１０、１１間に形成した軸部９０で軸支している。
このスライド両側板３０、３０は、軸部９０で軸支していることからこの軸周りに回動可能に軸支するものとなる。
本図では係る軸部９０の存在に対してスライド両側板係止部６０を有しており、スライド両側板３０、３０を定位置で固定しているものである。
【００２４】
従って、このスライド両側板係止部６０を外すことにより係止が解かれ、スライド両側板３０、３０は、軸部９０でこの軸周りに回動可能となる。
このように構成することにより、スライド両側板係止部６０により軸回動をせずに定位置で固定できる反面、このスライド両側板係止部６０を外すことにより軸周りにスライド両側板３０、３０の一端を支点として回動するものである。
【００２５】
このようなスライド両側板３０、３０間に移動板４０を有しており、この移動板４０はスライド両側板３０、３０間で前後方向へスライドすることができ移動することができる。
更に、この移動板４０には取っ手部４１を有しており、この取っ手部４１を用いて移動板４０の移動を行うことができる。
尚、この取っ手部４１は、スライド両側板３０、３０間で前後方向にスライドするスライド方向に設けられている。
【００２６】
従って、この取っ手部４１を押し又は引くことにより移動板４０をスライド方向へ沿って移動することができる。
このような移動板４０上にはシャンプーボウル２が配設されている。
従って、移動板４０を移動するとシャンプーボウル２も移動することとなる。
【００２７】
図２は、図１の折り畳み式の移動型シャンプー台を横から視認した状態の一例を示す図である。
本図においては、洗髪水タンクＴ１と汚水タンクＴ２とを土台１の底部の格子５０部分に載置した状態の一例を示す。
まず汚水タンクＴ２はシャンプーボウル２の排水口の蛇腹ホース２００につながっている。
又、洗髪水タンクＴ１にはシャワーヘッド２１につながるホース２１０に連設している。
【００２８】
この土台１は棒状部５１にヒンジ部５２を有する底部と底部に連設するキャスター１５とを有し、更にキャスター１５の上部には４つの脚部１０、１１、１２、１３が連設している。
まず本図において、洗髪者側の脚部１２、１３の上部には上部の軸部１２０、１３０と下部の軸部１２１、１３１が連設しており軸支されている。
このように構成することから、底部のヒンジ部５２を折り曲げた際に脚部１２、１０同士及び脚部１３、１１同士の間が短くなることから、この軸部１２０、１３０と軸部１２１、１３１で回動してこのような折り曲げた収納状態を作り出すことができる。
【００２９】
従って、折り畳まれた状態にするための構造を有する。
尚、脚部１１、１３と軸部１３０と下部の軸部１３１は裏側に位置するため図示していない。
更に、この土台１の上部にはスライド両側板３０、３０を有しており、このスライド両側板３０、３０の間を前後方向に移動板４０が移動可能に配設している。
尚、この移動板４０には移動板４０を引き出し或いは押しこむための取っ手部４１を有する。
【００３０】
更に、この土台１上部のスライド両側板３０、３０は、そのスライド両側板３０、３０の一端で脚部１０、１１間に有する軸部９０に軸支されている。
本図では、この脚部１０、１１は洗髪者側と反対方向の脚部１０、１１である。
更に、この軸支状態を支えるためのスライド両側板係止部６０を有する。
【００３１】
図３は、移動板４０の取っ手部４１を用いて移動板４０を引き出した状態の一例を示す図である。
このように構成することにより、洗髪者が洗髪に際して仰向けでこのシャンプーボウル２の近くで準備した状態で、この移動板４０を洗髪者方向に移動させることで、より洗髪者に対して近い位置にシャンプーボウル２を移動できるものである。
【００３２】
このことは仰向け状態の洗髪者とシャンプーボウル２との位置関係の微調整を簡単に行えることを示すものであり、無理な位置関係での洗髪や洗髪者に対しての負担のある姿勢を取らせることなく、或いは介護者に対して洗髪者の位置を修正するための洗髪者の移動等を行う必要がなくなり、最適な位置で洗髪することが可能である。
【００３３】
もちろん前かがみ状態で洗髪する場合にも洗髪者でなくシャンプーボウル２をより洗髪者に対して近い位置に移動できる。
尚、この土台１上部のスライド両側板３０、３０の一端では脚部１０、１１間に有する軸部９０に軸支されている。
従って、スライド両側板係止部６０による支えがない場合には、この軸部９０を軸点としてスライド両側板３０、３０は回動するものとなり、シャンプーボウル２が回動して土台１方向に回転することとなる。
【００３４】
これに対してスライド両側板３０、３０を水平状態で維持するためにスライド両側板係止部６０を有し水平状態で固定することができる。
この固定状態でスライド両側板３０、３０間の移動板４０は、このスライド両側板３０、３０間で前後方向に移動する。
【００３５】
図４は、この移動板４０のスライド機構を示す図であり、土台１にはその上部にスライド両側板３０、３０を有しており、このスライド両側板３０、３０の間を前後方向に移動板４０が移動する。
移動板４０には移動板４０を引き出し或いは押しこむための取っ手部４１を有する。
更に移動板４０の底面部分には移動方向に沿って複数の孔４２を有しており、この孔に対して任意位置で係止するために止め具部４３を有している。
【００３６】
尚、本図はスライド両側板３０、３０は着脱自在のスライド両側板係止部６０によって水平状態で維持固定されている状態を示している。
又、土台１の持ち運びの便宜を図るための土台取っ手部４５を有する。
【００３７】
図５は、本考案に係る折り畳み式の移動型シャンプー台の収納状態の一例を示す図である。
まず、土台１上部のスライド両側板３０、３０の端部を脚部１０、１１間の軸部９０で軸支しているこのスライド両側板３０、３０に関して、スライド両側板係止部６０を外すことによりこの軸部９０を中心にスライド両側板３０、３０が回動し、シャンプーボウル２の自重で前傾状態となる。
【００３８】
スライド両側板３０、３０の一端で少なくとも脚部１０、１１、１２、１３の内の２脚と連結しているものであり、この連結が２脚の脚部１０、１１間の軸部９０にスライド両側板３０、３０の一端が軸支していることからこの軸部９０を介してスライド両側板３０、３０は、回動自在に軸支しているものとなる。
このようにスライド両側板３０、３０が回動することにより脚部１０、１１間内にシャンプーボウル２が収まり嵩の大きいシャンプー台をコンパクトに収納できる。
従って、狭いところでも収納できることとなる。
【００３９】
図６は、本考案に係る折り畳み式の移動型シャンプー台を図５に示す構成よりも更にコンパクトに収納できる構成の一例を示した図である。
本図構成においては、土台１の底部の棒状部５１の中央部分のヒンジ部５２を開き棒状部５１を折り曲げることにより土台１の底部の間隔をより短くした状態で収納している状態の一例を示す。
その脚部１０、１１と脚部１３、１４との間を支える連結部である横方向の棒状部５１の中央部分にヒンジ部５２を有しており、このヒンジ部５２により折り曲げることができる。
【００４０】
このように構成すると、脚部間の間隔が短くなることから、よりコンパクトな収納ができる。
【００４１】
棒状部５１の折り込みにより脚部１０と脚部１２との間隔が狭まることに対して脚部１２の軸部１２０と軸部１２１により回動し、又脚部１０の軸部１０１と軸部９０とにより回動することにより脚部１０と脚部１２との間隔が狭くなった場合にも適宜折り畳むことができる。
【００４２】
尚、図示してはいないが、同様に脚部１３の軸部１３０と軸部１３１により回動し、又脚部１１の軸部１１１と軸部９０も同様に作用してコンパクトに収納することができる。
又、このヒンジ部５２にはロック機構を設けており、ヒンジ部５２を折り曲げない状態のときはヒンジ部５２が曲がらないようにロックすることができる。
【符号の説明】
【００４３】
１          土台
１０          脚部
１０１        軸部
１１          脚部
１１１        軸部
１２          脚部
１２０        軸部
１２１        軸部
１３          脚部
１３０        軸部
１３１        軸部
１５          キャスター
２          シャンプーボウル
２０        シンク
２００      蛇腹ホース
２１        シャワーヘッド
２１０      ホース
３０        スライド両側板
４０        移動板
４１        取っ手部
４２        孔
４３        止め具部
４５        土台取っ手部
５０        格子
５１        棒状部
５２        ヒンジ部
６０        スライド両側板係止部
９０        軸部
Ｔ１    洗髪水タンク
Ｔ２    汚水タンク
【図１】
0003210034.tif 000003
【図２】
0003210034.tif 000004
【図３】
0003210034.tif 000005
【図４】
0003210034.tif 000006
【図５】
0003210034.tif 000007
【図６】
0003210034.tif 000008